(57)【要約】【課題】  乾燥器出口のガスの温度および装置内のガスの圧力を大きく変化させることなく、乾燥器内への乾燥対象物の噴霧を中止できる循環式乾燥装置の運転方法を提供する。【解決手段】  乾燥器１４出口のガスの温度が設定温度となるようにラテックスまたは水の噴霧量を自動的に調整する手段を有する循環式乾燥装置１０の運転方法であって；乾燥器１４出口のガスの設定温度を、ラテックスの乾燥時における設定温度とし、乾燥器１４内にラテックスを噴霧し、乾燥するステップと；ラテックスの乾燥を中止する際に、乾燥器１４出口のガスの設定温度を、ラテックスの乾燥時における設定温度よりも高く設定し、ラテックスに代えて水の噴霧を開始するステップとを有する循環式乾燥装置１０の運転方法。【選択図】        図１
2006071242.tif 000002
【特許請求の範囲】
【請求項１】
ガスを加熱する加熱器と、乾燥対象物を加熱されたガスによって乾燥する乾燥器と、蒸発した水を凝縮させる凝縮器と、これらの間でガスを循環させるガス循環手段と、乾燥器内へ乾燥対象物または水を噴霧する供給手段と、乾燥器出口のガスの温度が設定温度となるように供給手段から噴霧される乾燥対象物または水の噴霧量を自動的に調整する噴霧量自動調整手段とを有する循環式乾燥装置の運転方法であって、
乾燥器出口のガスの設定温度を、乾燥対象物の乾燥時における設定温度とし、乾燥器内に乾燥対象物を噴霧し、乾燥するステップと、
乾燥対象物の乾燥を中止する際に、乾燥器出口のガスの設定温度を、乾燥対象物の乾燥時における設定温度よりも高く設定し、乾燥対象物に代えて水の噴霧を開始するステップと
を有することを特徴とする循環式乾燥装置の運転方法。
【請求項２】
乾燥器内への水の噴霧を開始した後、噴霧量自動調整手段による噴霧量の調整を止めて、水の噴霧量を所定の減少速度で減らしていくステップと、
乾燥器出口のガスの温度が、水の噴霧を開始したときに設定した設定温度に近づいたとき、噴霧量自動調整手段による噴霧量の調整を再開するステップと
をさらに有することを特徴とする請求項１記載の循環式乾燥装置の運転方法。
【発明の詳細な説明】
【技術分野】
【０００１】
本発明は、加熱器と乾燥器との間でガスを循環させながら、加熱器で加熱されたガスによって乾燥器内に噴霧された乾燥対象物を乾燥する循環式乾燥装置の運転方法に関する。
【背景技術】
【０００２】
従来より、ポリマーラテックス等の乾燥対象物を噴霧し、これを加熱されたガスによって乾燥する方式としては、オープンサイクル方式およびクローズドサイクル方式（循環式）が知られている。
オープンサイクル方式とは、乾燥対象物の乾燥に使用されたガスを、排ガスとして大気中に放出する方式である。したがって、オープンサイクル方式においては、高い温度のガスを大気中に放出するため、エネルギーのロスが大きい。
【０００３】
一方、クローズドサイクル方式、すなわち循環式乾燥装置を用いた乾燥方法は、排ガスのほとんどを乾燥用ガスとして再利用するので、オープンサイクル方式に比べて、エネルギー的に有利な乾燥法である。ただし、循環式乾燥装置は、装置内の圧力調整のために余分なガスを少しずつ排気する手段が設けられているものの、ほとんどのガスが装置内に閉じ込められた状態となっているので、ガスの温度が急激に変化すると、これに伴って圧力も急激に変化してしまう。よって、ガスの圧力が安定した状態で運転することは、オープンサイクル方式の装置に比べ難しいという欠点がある。
【０００４】
循環式乾燥装置を用いた乾燥方法においては、乾燥対象物の乾燥がいったん開始されれば、乾燥対象物の量や濃度が大きく変化しない限りは、循環式乾燥装置内の圧力、温度は安定した状態（定常状態）となり、ガスの圧力が所定範囲内となるように余分なガスを少しずつ排気して圧力を自動制御しながらの運転が可能である。しかしながら、循環式乾燥装置の運転を停止する際には、循環式乾燥装置内を乾燥対象物の乾燥に必要な温度から室温まで冷却する必要があることから、循環式乾燥装置内の圧力は不安定な状態（非定常状態）となりやすい。
【０００５】
例えば、循環式乾燥装置の運転を停止する際には、乾燥器入口のガスの温度が所定の温度以下に低下するまでの間、乾燥対象物の代わりに乾燥器内に水を噴霧することが行われる。これは、乾燥対象物の噴霧を急に止めると、乾燥器における水の蒸発量が０となり、水の蒸発に消費される熱も０になってしまうため、乾燥器出口のガスの温度が急激に上昇するためである。乾燥器出口のガスの温度が急上昇してしまうと、乾燥器の後段に設けられたバグフィルターが高温のガスによりダメージを受けるという問題が発生する。また、装置内のガスの圧力も急激に上昇し、圧力の自動制御が追随しきれず、乾燥器本体を守るために、循環式乾燥装置が緊急停止するなどのトラブルが起きやすい。
【０００６】
ところが、乾燥対象物の代わりに乾燥器内に水を噴霧すると、乾燥対象物がポリマーラテックスの場合、その水分率は５０質量％程度であるので、噴霧対象をポリマーラテックスから水に切り替えたとき、乾燥器における水の蒸発量は２倍になってしまい、水の蒸発に消費される熱も２倍になってしまうため、逆に、乾燥器出口のガスの温度が急低下してしまう。
【０００７】
このように、乾燥器出口のガスの温度が急低下してしまうと、乾燥器出口のガスの温度の急低下、および乾燥器における水の蒸発量の増加によって、装置内のガスの圧力も急激に変化してしまう。このような場合もまた、圧力の急激な変化に圧力の自動制御が追随しきれず、乾燥器本体を守るために、循環式乾燥装置が緊急停止するなどのトラブルが起きやすい。
【０００８】
なお、乾燥器内への乾燥対象物の噴霧の開始時に、乾燥器内のガスの温度が所定温度に到達してから乾燥器出口のガスの温度が安定化するまで、乾燥対象物に代えて水を噴霧するオープンサイクル方式の乾燥装置が、特許文献１に提案されている。しかしながら、オープンサイクル方式のため、噴霧対象を乾燥対象物から水に切り替えた際の温度および圧力の変化については全く考慮されていない。
【特許文献１】特開平１−２８４３０１号公報
【発明の開示】
【発明が解決しようとする課題】
【０００９】
よって、本発明の目的は、加熱器と乾燥器との間でガスを循環させる循環式乾燥装置の運転停止時において、乾燥器出口のガスの温度および装置内のガスの圧力を大きく変化させることなく、乾燥器内への乾燥対象物の噴霧を中止できる循環式乾燥装置の運転方法を提供することにある。
【課題を解決するための手段】
【００１０】
すなわち、本発明の循環式乾燥装置の運転方法は、ガスを加熱する加熱器と、乾燥対象物を加熱されたガスによって乾燥する乾燥器と、蒸発した水を凝縮させる凝縮器と、これらの間でガスを循環させるガス循環手段と、乾燥器内へ乾燥対象物または水を噴霧する供給手段と、乾燥器出口のガスの温度が設定温度となるように供給手段から噴霧される乾燥対象物または水の噴霧量を自動的に調整する噴霧量自動調整手段とを有する循環式乾燥装置の運転方法であって；乾燥器出口のガスの設定温度を、乾燥対象物の乾燥時における設定温度とし、乾燥器内に乾燥対象物を噴霧し、乾燥するステップと；乾燥対象物の乾燥を中止する際に、乾燥器出口のガスの設定温度を、乾燥対象物の乾燥時における設定温度よりも高く設定し、乾燥対象物に代えて水の噴霧を開始するステップとを有することを特徴とする。
【００１１】
また、本発明の循環式乾燥装置の運転方法は、乾燥器内への水の噴霧を開始した後、噴霧量自動調整手段による噴霧量の調整を止めて、水の噴霧量を所定の減少速度で減らしていくステップと；乾燥器出口のガスの温度が、水の噴霧を開始したときに設定した設定温度に近づいたとき、噴霧量自動調整手段による噴霧量の調整を再開するステップとをさらに有することが望ましい。
【発明の効果】
【００１２】
本発明の循環式乾燥装置の運転方法によれば、加熱器と乾燥器との間でガスを循環させる循環式乾燥装置の運転停止時において、乾燥器出口のガスの温度および装置内のガスの圧力を大きく変化させることなく、乾燥器内への乾燥対象物の噴霧を中止できる。
【発明を実施するための最良の形態】
【００１３】
以下、本発明について詳細に説明する。
＜循環式乾燥装置＞
図１は、本発明における循環式乾燥装置の一例を示す概略構成図である。この循環式乾燥装置１０は、ガスを加熱する加熱器１２と、加熱器１２で加熱されたガスによってラテックス（乾燥対象物）を乾燥する乾燥器１４と、乾燥器１４の底部のガス排出口１６から排出されるガスからこれに含まれる粉体を捕集、分離する捕集器１８と、捕集器１８で粉体が分離されたガスを冷却し、ガス中の水分を凝縮、分離するガス冷却塔２０と、ガス冷却塔２０用の冷却水を冷却するための冷媒体（水）を冷却する再冷塔２２と、ガス冷却塔２０用の冷却水と再冷塔２２からの冷媒体との間で熱交換を行う冷却水用熱交換器２４と、ガスの予備加熱を行う備加熱器２６と、予備加熱器２６から加熱器１２に戻される途中で抜き取られたガスの一部に含まれる揮発成分を分解する熱風炉２８と、熱風炉２８から排出される燃焼ガスと後述の熱交換流路を流れるガスとの間で熱交換を行う熱交換器３０と、これら加熱器１２、乾燥器１４、捕集器１８、ガス冷却塔２０、再冷塔２２、冷却水用熱交換器２４、予備加熱器２６、熱風炉２８および熱交換器３０に接続された流路と、流路に設けられた弁、温度計、圧力計、ファン、およびポンプと、乾燥器１４に設けられた乾燥器圧力計３２と、循環式乾燥装置１０内の弁、温度計、圧力計、ファン、およびポンプに電気的に接続された制御装置３４（噴霧量自動調整手段）とを具備して概略構成されるものである。
【００１４】
ここで、前記流路は、加熱器１２で加熱されたガスを乾燥器１４に供給する加熱ガス流路３６（ガス循環手段）、乾燥器１４のガス排出口１６から排出されるガスを捕集器１８に供給する排出ガス流路３８（ガス循環手段）、捕集器１８で粉体が分離されたガスをガス冷却塔２０に供給する濾過ガス流路４０（ガス循環手段）、ガス冷却塔２０で冷却されたガスを予備加熱器２６に供給する冷却ガス流路４２（ガス循環手段）、予備加熱器２６で加熱されたガスを加熱器１２に戻す予熱ガス流路４４（ガス循環手段）、予熱ガス流路４４からガスの一部を抜き取り、熱風炉２８に供給する分岐流路４６、熱風炉２８から排出される燃焼ガスを加熱ガス流路３６のガスに戻す燃焼ガス流路４８、燃焼ガス流路４８から分岐し、熱交換器３０で冷却された燃焼ガスの一部を外部へ排気する燃焼ガス排気流路５０、予熱ガス流路４４からガスの一部を抜き取り、熱交換器３０を通って加熱ガス流路３６と合流する熱交換流路５２、予熱ガス流路４４からガスの一部を抜き取って、乾燥器１４に設けられた加圧二流体噴霧ノズル（供給手段）（図示略）にアシストエアーを供給するアシストエアー流路５４、冷却ガス流路４２から分岐したガスを排気する冷却ガス排気流路５６、加熱ガス流路３６から分岐し、加熱器１２と乾燥器１４との間で循環しているガスを排気する循環開放流路５８、捕集器１８に窒素ガスを供給する窒素ガス供給管６０、熱風炉２８に燃料であるＬＰＧ（液化石油ガス）ガスを供給するＬＰＧ供給管６２、熱風炉２８に空気を供給する空気供給管６４、乾燥器１４の加圧二流体噴霧ノズル（図示略）にラテックスを供給するラテックス供給管６６（供給手段）、ラテックス供給管６６に合流する水供給管６８（供給手段）、ガス冷却塔２０と冷却水用熱交換器２４との間で冷却水を循環させる冷却水循環流路７０、再冷塔２２と冷却水用熱交換器２４との間で冷媒体を循環させる冷媒体循環流路７２、および加熱器１２に加熱蒸気を供給する加熱蒸気供給管７４である。
【００１５】
また、加熱ガス流路３６には手動の循環仕切弁７６が設けられ、排出ガス流路３８には手動の捕集器入口仕切弁７８が設けられ、濾過ガス流路４０には手動の捕集器出口仕切弁８０が設けられ、分岐流路４６には分岐流路弁８２が設けられ、燃焼ガス流路４８には燃焼ガス戻り弁８４が設けられ、燃焼ガス排気流路５０には圧力制御弁８６が設けられ、冷却ガス排気流路５６には冷却ガス出弁８８が設けられ、循環開放流路５８には循環開放弁９０が設けられ、ラテックス供給管６６にはラテックス供給弁９２が設けられ、水供給管６８には水供給弁９４が設けられ、加熱蒸気供給管７４には加熱蒸気制御弁９６が設けられている。
【００１６】
また、予熱ガス流路４４には送風ファン９８（ガス循環手段）が設けられ、濾過ガス流路４０には排風ファン１００（ガス循環手段）が設けられ、分岐流路４６には分岐ファン１０２が設けられ、熱交換流路５２には冷却ファン１０４が設けられ、アシストエアー流路５４にはルーツブロワ１０６が設けられ、空気供給管６４には空気送風ファン１０８が設けられ、ラテックス供給管６６には送液ポンプ１１０（供給手段）が設けられ、冷却水循環流路７０には冷却水循環ポンプ１１２が設けられ、冷媒体循環流路７２には冷媒体循環ポンプ１１４が設けられ、再冷塔２２には再冷塔ファン１１６が設けられている。
【００１７】
さらに、加熱ガス流路３６には乾燥器入口温度計１１８が設けられ、排出ガス流路３８には乾燥器出口温度計１２０（噴霧量自動調整手段）が設けられ、冷却ガス流路４２の冷却塔出口圧力計１２２が設けられ、燃焼ガス流路４８の熱風炉２８出口側には熱風炉出口温度計１３６が設けられ、予熱ガス流路４４には風量計１３８が設けられ、冷却水循環流路７０には冷却水温度計１４０が設けられている。ここで、乾燥器入口温度計１１８は、加熱蒸気制御弁９６と直接、電気的に接続し、インバータによって乾燥器１４の入口温度に応じて加熱蒸気の流量が制御できるようにされている。また、乾燥器圧力計３２は、排風ファン１００と直接、電気的に接続し、インバータによって乾燥器１４内の圧力に応じて排風ファン１００の出力が制御できるようにされている。
【００１８】
加熱器１２は、加熱蒸気供給管７４から供給された加熱蒸気を利用して、ガスにラテックスを乾燥させるために必要な熱エネルギーを与える装置である。加熱器１２としては、この他に、電気ヒーター；ＬＰＧ（液化石油ガス）やＬＮＧ（液化天然ガス）などに代表される気体燃料、または、灯油や軽油などに代表される液体燃料を燃焼させる直火加熱器などが使用できる。
【００１９】
乾燥器１４は、所定の乾燥熱風温度のガスによって、噴霧されたラテックスの水分率を規定レベルまで低下させ、乾燥させる装置であり、筒状の直胴部と、直胴部の下端に接続する逆円錐状のコーン部と、コーン部の先端に設けられた固形分取り出し口１２４と、底部を構成するコーン部に設けられたガス排出口１６と、ラテックスを噴霧する加圧二流体噴霧ノズル（図示略）とを具備するものである。ラテックスの噴霧方法は、加圧二流体ノズルに限定されるものではなく、加圧ノズルやディスクアトマイザーなどを利用した噴霧方法でもよい。ここで、乾燥熱風温度とは、乾燥器１４の入口におけるガスの温度である。
【００２０】
捕集器１８は、バグフィルターによって、循環ガス中に含まれる固形分を分離・回収する装置であり、筒状の直胴部と、直胴部の下端に接続する逆円錐状のコーン部と、コーン部の先端に設けられた固形分取り出し口１２６とを具備するものである。捕集器１８としては、この他に、サイクロンなどの気固分離器を用いることができる。
【００２１】
ガス冷却塔２０は、ウェットスクラバなどに代表される直接式熱交換器であり、ラテックスの乾燥によって増加したガス中の水分を、露点以下の温度の冷却水をガスに直接接触させて冷却することにより凝縮させ、凝縮した水分を取り出すものである。ガス冷却塔２０としては、この他、公知の多管式熱交換器や多管フィン付熱交換器などに代表される間接式熱交換器などが使用できる。
ガス冷却塔２０は、そこにおいて凝縮される水量が、ラテックスから蒸発した水分量に加えて、熱風炉２８においてＬＰＧの燃焼により発生する水分量との合計と等しくなるように設計される。
【００２２】
熱風炉２８は、予熱ガス流路４４から抜き取られた一部のガス（以下、抜き取りガスと記す）中の水以外の揮発成分、例えば、未反応のモノマー、有機溶剤等を、ＬＰＧを燃焼させることで発生した高温部に接触させることによって、分解、脱臭し、さらに抜き取りガス中の酸素濃度を低減する装置である。燃料としては、ＬＰＧの他に、ＬＮＧ（液化天然ガス）などの気体燃料、灯油や軽油などの液体燃料を用いてもよい。熱風炉としては、直火式燃焼装置、蓄熱式燃焼装置、触媒式燃焼装置、接触式燃焼装置等を使用することができる。
【００２３】
制御装置３４は、図２に示すように、記憶部１２８と、監視部１３０と、制御部１３２と、インターフェース部１３４とを具備して概略構成され、循環式乾燥装置１０に設けられた弁、温度計、圧力計、ファン、およびポンプを監視し、これらを操作、制御するものである。特に、本発明においては、乾燥器出口温度計１２０からの温度情報が設定温度となるように、送液ポンプ１１０の出力を自動的に調整するもの（噴霧量自動調整手段）である。このようなプロセス制御システムとしてＤＣＳ（Ｄｉｓｔｒｉｂｕｔｅｄ  Ｃｏｎｔｒｏｌ  Ｓｙｓｔｅｍ）を例に挙げることができる。
【００２４】
記憶部１２８は、循環式乾燥装置１０の運転時に行うべき操作手順；各操作における弁、温度計、圧力計、ファン、およびポンプの設定条件等を記憶するものである。なお、記憶部１２８は、ＲＡＭ（Ｒａｎｄｏｍ  Ａｃｃｅｓｓ  Ｍｅｍｏｒｙ）のような揮発性のメモリ、ハードディスク装置、光磁気ディスク装置、フラッシュメモリ等の不揮発性のメモリ、あるいはこれらの組合せにより構成されるものとする。
【００２５】
監視部１３０は、弁、温度計、圧力計、ファン、およびポンプの状態が、記憶部１２８に記憶された設定条件であるか否かを自動的にチェックし；設定された状態にないものを後述の表示装置に出力し；必要に応じて、回復措置、緊急停止措置を制御部１３２に指示するものである。
【００２６】
制御部１３２は、記憶部１２８に記憶された操作手順、各操作における弁、温度計、圧力計、ファン、およびポンプの設定条件、温度計および圧力計からの温度情報および圧力情報等に基づいて、自動弁の開閉；制御弁、ファン、およびポンプの制御等を行うものである。
インターフェイス部１３４は、弁、温度計、圧力計、ファン、およびポンプ等と、監視部１３０および制御部１３２との間を電気的に接続するものである。
【００２７】
なお、監視部１３０および制御部１３２は、専用のハードウエアにより実現されるものであってもよく、また、この監視部１３０および制御部１３２は、メモリおよび中央演算装置（ＣＰＵ）によって構成され、監視部１３０および制御部１３２の機能を実現するためのプログラムをメモリにロードして実行することによりその機能を実現させるものであってもよい。
また、制御装置３４には、周辺機器として、入力装置、表示装置等が接続されるものとする。ここで、入力装置とは、ディスプレイタッチパネル、スイッチパネル、キーボード等の入力デバイスのことをいい、表示装置とは、ＣＲＴや液晶表示装置のことをいう。
【００２８】
本発明におけるガス循環手段は、前記加熱ガス流路３６、排出ガス流路３８、濾過ガス流路４０、冷却ガス流路４２、予熱ガス流路４４、および予熱ガス流路４４に設けられた送風ファン９８、濾過ガス流路４０に設けられた排風ファン１００から構成される。
また、本発明における供給手段は、ラテックス供給管６６、水供給管６８、加圧二流体噴霧ノズル、およびラテックス供給管６６に設けられた送液ポンプ１１０から構成される。
また、本発明における噴霧量自動調整手段は、乾燥器出口温度計１２０および制御装置３４から構成される。
【００２９】
＜運転方法＞
次に、本発明の循環式乾燥装置の運転方法について図示例の循環式乾燥装置１０の場合を例にとり説明する。
【００３０】
本発明の運転方法は、乾燥器１４出口のガスの設定温度を、ラテックスの乾燥時における設定温度（例えば、７０℃）とし、乾燥器１４内にラテックスを噴霧し、乾燥するステップ（以下、乾燥ステップとも記す）と；ラテックスの乾燥を中止する際に、乾燥器１４出口のガスの設定温度を、ラテックスの乾燥時における設定温度（７０℃）よりも高い温度（例えば、７５℃）に設定し、ラテックスに代えて水の噴霧を開始するステップ（以下、切換ステップとも記す）と；乾燥器１４内への水の噴霧を開始した後、制御装置３４（噴霧量自動調整手段）による乾燥器１４出口のガスの温度に基づく噴霧量の調整を止めて、水の噴霧量を所定の減少速度で減らしていくステップ（以下、強制流量制御ステップとも記す）と；乾燥器１４出口のガスの温度が、水の噴霧を開始したときに設定した設定温度に近づいたとき（例えば、７３℃以上）、制御装置３４による乾燥器１４出口のガスの温度に基づく噴霧量の調整を再開するステップ（以下、温度制御再開ステップとも記す）とを有する方法である。
以下、循環式乾燥装置１０の運転開始から運転停止までを順に説明する。
【００３１】
（運転開始時）
制御装置３４の運転開始ボタンが押されると、すべての弁が自動運転を開始できる状態になっているかを監視部１３０でチェックする。ついで、制御部１３２によって窒素ガスボンベ（図示略）の元栓（図示略）を開き、窒素ガス供給管６０から捕集器１８への窒素ガスの供給を開始する。ついで、循環仕切弁７６を手動で開く。また、制御部１３２によって燃焼ガス戻り弁８４を開き、循環開放弁９０を閉じて、循環式乾燥装置１０内をガスが循環できる状態にする。
【００３２】
制御部１３２によって冷却水循環ポンプ１１２、冷媒体循環ポンプ１１４、および再冷塔ファン１１６の運転を開始し、記憶部１２８に記憶された設定条件で運転を続ける。ついで、制御部１３２によって冷却ファン１０４の運転を開始し、冷却塔出口圧力計１２２からの圧力情報に基づく圧力制御弁８６の制御を開始する。また、送風ファン９８および排風ファン１００の運転を開始し、乾燥器圧力計３２からの圧力情報に基づく排風ファン１００の出力制御を開始する。ついで、送風ファン９８の出力を、記憶部１２８に記憶された設定出力まで徐々に上げていく。これに伴い、乾燥器１４内の圧力が徐々に上昇するので、結果として、乾燥器１４内の圧力が設定範囲内となるように、インバータによって排風ファン１００の出力が徐々に上昇する。
【００３３】
制御部１３２によってルーツブロワ１０６の運転を開始する。ついで、制御部１３２によって分岐ファン１０２の運転を開始し、分岐流路弁８２を開く。ついで、制御部１３２によって燃焼ファン１０８の運転を開始し、熱風炉２８への空気の供給を開始する。また、制御部１３２によってＬＰＧガスボンベ（図示略）の元栓（図示略）を開き、ＬＰＧガス供給管６２から熱風炉２８へのＬＰＧガスの供給を開始し、熱風炉２８内のＬＰＧガスに点火する。
【００３４】
制御部１３２によってＬＰＧガスの制御弁（図示略）を徐々に開き、同時に、熱風ファン１０８の出力を徐々に上げ、熱風炉２８へのＬＰＧガスおよび空気の供給量を増やして、熱風炉２８出口のガスの温度を徐々に上げる。
これと同時に、制御部１３２によって加熱蒸気制御弁９６を徐々に開く。このとき、加熱蒸気供給管７４を通って供給される加熱蒸気によって、加熱器１２を通過するガスが加熱される。ガスが加熱されると、ガスが膨張し、乾燥器１４内のガスの圧力が上昇するため、インバータによって排風ファン１００の出力が上がり、これに伴いガス冷却塔２０の出口圧力が上昇する。冷却塔出口圧力計１２２からの圧力情報に基づき、制御部１３２によって自動的に圧力制御弁８６の開度が上がり、ガスが徐々に外部に排気される。
【００３５】
乾燥器１４の出口温度が所定温度（例えば、８２℃）を超えると、捕集器１８のバグフィルターが熱により悪影響を受けるので、制御部１３２によって水供給弁９４を開き、送液ポンプ１１０の運転を開始する。これにより、加圧二流体噴霧ノズルから水が噴霧され、乾燥器１４内でガスが冷やされる。
乾燥器出口温度計１２０からの温度情報が、記憶部１２８に記憶された設定温度になっているかを、常時、監視部１３０でチェックする。乾燥器出口温度計１２０からの温度情報が、設定温度を超えると、制御部１３２によって送液ポンプ１１０の出力を上げる。乾燥器出口温度計１２０からの温度情報が、設定温度を下回ると、制御部１３２によって送液ポンプ１１０の出力を下げる。
【００３６】
加熱蒸気制御弁９６を引き続き開いていき、加熱器１２を通過するガスをさらに昇温する。加熱器１２によるガスの昇温は、乾燥器入口温度計１１８からの温度情報が、ラテックスの乾燥時における設定温度（１７０℃）に到達するまで行う。そして、ガスを昇温する間、乾燥器出口温度計１２０からの温度情報が、設定温度となるように、乾燥器１４内への水の噴霧を続ける。
乾燥器入口温度計１１８からの温度情報が、ラテックスの乾燥時における設定温度（１７０℃）に到達した後、制御部１３２によって水供給弁９４を閉じ、ラテックス供給弁９２を開く。これにより、加圧二流体噴霧ノズルからラテックスが噴霧され、ラテックスの乾燥が開始される。
【００３７】
（乾燥ステップ）
ラテックスの乾燥を行っている間は、乾燥器１４出口のガスの温度がラテックス（乾燥対象物）の乾燥時における設定温度（例えば、７０℃）となるように、乾燥器１４内にラテックスを噴霧する。すなわち、乾燥器出口温度計１２０からの温度情報が、記憶部１２８に記憶された設定温度（７０℃）になっているかを、常時、監視部１３０でチェックする。乾燥器出口温度計１２０からの温度情報が、設定温度（７０℃）を超えると、制御部１３２によって送液ポンプ１１０の出力を上げる。乾燥器出口温度計１２０からの温度情報が、設定温度（７０℃）を下回ると、制御部１３２によって送液ポンプ１１０の出力を下げる。
【００３８】
また、ラテックスを噴霧している間、乾燥器入口温度計１１８からの温度情報が、記憶部１２８に記憶された設定温度（例えば、１７０℃）になっているかを、常時、監視部１３０でチェックする。乾燥器入口温度計１１８からの温度情報が、設定温度（１７０℃）を超えると、制御部１３２によって加熱蒸気制御弁９６の開度を下げる。乾燥器入口温度計１１８からの温度情報が、設定温度（１７０℃）を下回ると、制御部１３２によって加熱蒸気制御弁９６の開度を上げる。
【００３９】
さらに、ラテックスを噴霧している間、乾燥器圧力計３２からの圧力情報に基づく排風ファン１００の出力制御を行う。すなわち、乾燥器１４内の圧力が所定圧力を超えると、インバータによって排風ファン１００の出力が上昇する。乾燥器１４内の圧力が所定圧力を下回ると、インバータによって排風ファン１００の出力が低下する。
【００４０】
（切換ステップ）
制御装置３４の運転停止ボタンが押される、または、監視部１３０による乾燥器１４内の圧力の監視によって圧力の異常が検知され、運転の中断の指示が監視部１３０から制御部１３２に送られた場合、まず、乾燥器出口のガスの設定温度を、ラテックスの乾燥時における設定温度（７０℃）よりも高い温度（例えば、７５℃）に設定する。そうすると、乾燥器１４出口におけるガスの温度を上げようとして、制御部１３２によって送液ポンプ１１０の出力が低下する。送液ポンプ１１０の出力が下降傾向にある状態で、制御部１３２によってラテックス供給弁９２を閉じ、水供給弁９４を開く。これにより、加圧二流体噴霧ノズルから水が噴霧され、ラテックスの乾燥が中止される。
【００４１】
（強制流量制御ステップ）
送液ポンプ１１０の出力が下降傾向にある状態で、水の噴霧を開始しているとはいえ、水の噴霧を開始した直後の水の蒸発量は、ラテックスの水分率が５０質量％の場合、ラテックス噴霧時の水の蒸発量より多く、乾燥器１４出口のガスの温度が低下しようとする。よって、速やかに、水の噴霧量を乾燥ステップ時のラテックスの噴霧量の半分にする必要がある。よって、乾燥器１４内への水の噴霧を開始した後、乾燥器出口温度計１２０からの温度情報に基づく、制御部１３２による送液ポンプ１１０の出力の調整を止め、送液ポンプ１１０の出力、すなわち水の噴霧量を、図３に示すように、記憶部１２８に記憶された所定の減少速度で制御部１３２によって強制的に下げていく。
【００４２】
（温度制御再開ステップ）
乾燥器出口温度計１２０からの温度情報が、水の噴霧を開始したときに設定した設定温度（７５℃）に近づいたとき、例えば、７３℃以上となったとき、乾燥器出口温度計１２０からの温度情報に基づく、制御部１３２による送液ポンプ１１０の出力の調整を再開する。
以後、循環式乾燥装置１０を完全に停止する場合は、以下の各ステップの操作を自動で行う。
【００４３】
（冷却ステップ）
乾燥器１４出口のガスの設定温度を、水の噴霧を開始したときに設定した設定温度（７５℃）よりも１０℃高く（８５℃）に設定する。そうすると、乾燥器１４出口におけるガスの温度を上げようとして、制御部１３２によって送液ポンプ１１０の出力が低下する。これと同時に、制御部１３２によって加熱蒸気制御弁９６を徐々に閉じ、乾燥器１４入口温度を徐々に下げる。
【００４４】
乾燥器出口温度計１２０からの温度情報が、所定温度（例えば、１０５℃）以下となり、かつ送液ポンプ１１０による送液量が、所定流量（例えば、０．８ｍ3 ／時間）以下となったとき、送液ポンプ１１０の運転を停止する。送液ポンプ１１０の運転を停止する、すなわち水の噴霧を止めてしまうと、一時的に乾燥器１４出口におけるガスの温度が上昇し、装置内のガスの圧力が上昇する。冷却塔出口圧力計１２２からの圧力情報に基づき、制御部１３２によって自動的に圧力制御弁８６の開度が上がり、ガスが徐々に外部に排気される。冷却塔出口圧力計１２２からの圧力情報が所定圧力以下になると、次のステップに移行する。
【００４５】
（熱風炉隔離ステップ）
加熱蒸気制御弁９６が完全に閉じた後も、熱風炉２８によるガスの加熱は行われているので、装置内のガスの圧力が少しずつ上昇する。冷却塔出口圧力計１２２からの圧力情報が所定圧力以上になると、制御部１３２によってＬＰＧガスの制御弁（図示略）を閉じ、熱風炉２８へのＬＰＧガスの供給を停止する。
ついで、制御部１３２によって分岐流路弁８２を閉じ、分岐ファン１０２の運転を停止する。さらに、制御部１３２によって燃焼ガス戻り弁８４を閉じる。
（アシストエアー停止ステップ）
制御部１３２によってルーツブロワ１０６の運転を停止する。
【００４６】
（ファン停止ステップ）
制御部１３２によって送風ファン９８の出力を徐々に下げる。送風ファン９８の出力が所定圧力まで低下し、かつ乾燥器出口温度計１２０からの温度情報が所定温度以下となったら、制御部１３２によって排風ファン１００の運転を停止する。排風ファン１００が停止すると、乾燥器１４内のガスの圧力が少しずつ上昇する。乾燥器圧力計３２からの圧力情報が所定圧力を超えたら、制御部１３２によって送風ファン９８の運転を停止する。
また、熱風炉出口温度計１３６からの温度情報が所定温度以下となったら、制御部１３２によって熱風ファン１０８の運転を停止する。
【００４７】
（ガス冷却塔停止ステップ）
制御部１３２によって冷却水循環ポンプ１１２、冷媒体循環ポンプ１１４、および再冷塔ファン１１６の運転を停止する。
（ガス循環停止ステップ）
制御部１３２によって循環開放弁９０を開き、循環仕切弁７６を手動で閉じる。
このようにして循環式乾燥装置１０の運転を完全に停止する。
【００４８】
（異常監視）
上記各ステップにおいては、循環式乾燥装置１０において異常が発生していないかを常時監視する。具体的には、各ステップごとに、循環式乾燥装置１０に設けられた弁、温度計、圧力計、ファン、およびポンプのうち、その異常状態をチェックすべきものをあらかじめリストアップし、各ステップごとに、リストアップされたものがあらかじめ設定された異常状態であるか否かを自動的にチェックし、リストアップされたものが設定された異常状態になったとき、異常の状態に応じて、自動的に異常対応操作を行う。
【００４９】
例えば、ガス循環開始以降、乾燥器圧力計３２からの圧力情報に基づく排風ファン１００の出力制御が常時行われており、この間、同時に監視部１３０による乾燥器１４内の圧力の監視が行われる。乾燥器１４内の圧力の状態は、圧力が高い方から「ＨＨＨＨ」、「ＨＨＨ」、「ＨＨ」、「ＨＩ」、「ＮＲ」、「ＬＯ」、「ＬＬ」、「ＬＬＬ」、「ＬＬＬＬ」にランク分けされ、記憶部１２８に記憶されている。
【００５０】
ここで、「ＮＲ」は正常な圧力範囲であり、「ＨＩ」および「ＬＯ」は、循環開放弁９０を開放することによって圧力を「ＮＲ」にすぐに戻すことができ、運転の続行にはほとんど影響がない圧力範囲であり、「ＨＨ」および「ＬＬ」は、運転の続行には影響があるが、圧力が「ＮＲ」まで回復する見込みがある圧力範囲であり、「ＨＨＨ」および「ＬＬＬ」は、圧力が「ＮＲ」まで回復する見込みのない圧力範囲であり、「ＨＨＨＨ」／「ＬＬＬＬ」は、それぞれ乾燥器１４が破裂／圧壊するおそれのある圧力範囲である。
【００５１】
圧力が上昇（または下降）し、「ＮＲ」の範囲から外れ「ＨＩ」（または「ＬＯ」）になると、操作を続行しながら、制御部１３２によって循環開放弁９０を開放し、圧力を「ＮＲ」の範囲に戻すように試みる。循環開放弁９０の開放で圧力が「ＮＲ」の範囲に戻れば、循環開放弁９０を閉じる。
圧力がさらに上昇（または下降）し、「ＨＩ」（または「ＬＯ」）の範囲から外れ「ＨＨ」（または「ＬＬ」）になると、循環開放弁９０を開放した状態で、運転を中断し、上述の切換ステップに移行して噴霧対象をラテックスから水に切り替え、圧力が「ＨＩ」（または「ＬＯ」）に戻るまで待つ。
【００５２】
圧力がさらに上昇（または下降）し、「ＨＨ」（または「ＬＬ」）の範囲から外れ「ＨＨＨ」（または「ＬＬＬ」）になると、圧力の正常状態「ＮＲ」への回復が見込めないので、装置を緊急停止する。
装置を緊急停止してもなお、圧力がさらに上昇（または下降）し、「ＨＨＨ」（または「ＬＬＬ」）の範囲から外れ「ＨＨＨＨ」（または「ＬＬＬＬ」）になると、乾燥器１４の破裂（または圧壊）のおそれがあるので、制御部１３２によって乾燥器１４のベント弁を開放し、乾燥器１４の破壊を未然に防ぐ。
【００５３】
（乾燥対象物）
ラテックスとしては、例えば、一般公知の乳化重合法や、ソープフリー乳化重合法で製造されるポリマーラテックスが挙げられる。ポリマーとしては、例えば、芳香族ビニル系単量体、シアン化ビニル系単量体、エチレン系不飽和カルボン酸系単量体、不飽和カルボン酸アルキルエステル系単量体、ハロゲン化ビニル系単量体、マレイミド系単量体等を単独重合したもの、または２種以上を共重合、シード重合、またはグラフト重合したもの、あるいは複合化したものなどが挙げられる。また、ポリマーラテックスは１種単独でもよく、複数種類のラテックスの混合物であってもよい。
【００５４】
（作用）
以上説明した循環式乾燥装置１０の運転方法にあっては、ラテックスの乾燥を中止する際、ラテックスに代えて水の噴霧を開始する直前に、乾燥器１４出口のガスの設定温度を、ラテックスの乾燥時における設定温度（７０℃）よりも高い温度（７５℃）に設定しているので、送液ポンプ１１０の出力が下降傾向にある状態で、水の噴霧を開始することができ、乾燥器１４出口のガスの温度の急激な下降を抑えることができる。
【００５５】
すなわち、図４に示すように、噴霧対象を単にラテックスから水に切り替えただけでは、水の噴霧量はラテックスの噴霧量と同じとなるので、ラテックスの水分率が５０質量％の場合、水噴霧時の水の蒸発量は、ラテックス噴霧時の水の蒸発量の２倍となる。よって、水の蒸発に消費される熱が極端に多くなり、乾燥器１４出口のガスの温度が急激に低下してしまう。一方、図５に示すように、ラテックスに代えて水の噴霧を開始する直前に、乾燥器１４出口のガスの設定温度を上げ、送液ポンプ１１０の出力が下降傾向にある状態で、水の噴霧を開始すれば、水の噴霧量は、乾燥ステップにて噴霧されていたラテックスの噴霧量よりも少なくなるので、水噴霧時の水の蒸発量は、噴霧対象を単にラテックスから水に切り替えた場合に比べ少なくなり、結果、乾燥器１４出口のガスの温度の急激な低下を抑えることとなる。
【００５６】
また、送液ポンプ１１０の出力は、図６に示すように、乾燥器１４出口のガスの温度変化に応じて、上昇と下降とを繰り返している。もし、送液ポンプ１１０の出力が上昇傾向にあるときに、ラテックスに代えて水の噴霧を開始すると、送液ポンプ１１０の出力はすぐには下降傾向にならず、水の噴霧量はすぐには減少しない。そのため、乾燥器１４出口のガスの温度が急激に低下してしまう。一方、ラテックスに代えて水の噴霧を開始する直前に、乾燥器１４出口のガスの設定温度を上げ、送液ポンプ１１０の出力が下降傾向にある状態で、水の噴霧を開始すれば、水の噴霧量は即座に減少を開始し、結果、乾燥器１４出口のガスの温度の急激な低下を抑えることとなる。
【００５７】
また、乾燥器出口温度計１２０からの温度情報に基づく、制御部１３２による送液ポンプ１１０の出力の調整では、温度変化に敏感に反応して噴霧量が増減すると、乾燥器内圧が大きく変動してしまうため、水の噴霧量はゆっくりと減少する。しかしながら、水噴霧時の水の蒸発量を速やかにラテックス噴霧時の水の蒸発量と同じ、すなわち、ラテックスの水分率が５０質量％の場合、水の噴霧量を速やかに乾燥ステップ時のラテックスの噴霧量の半分にしなければ、乾燥器１４出口のガスの温度が急激に低下しようとする。そこで、乾燥器１４内への水の噴霧を開始した後、乾燥器出口温度計１２０からの温度情報に基づく、制御部１３２による送液ポンプ１１０の出力の調整を止め、送液ポンプ１１０の出力を記憶部１２８に記憶された所定の減少速度で制御部１３２によって強制的に下げていけば、乾燥器１４出口のガスの温度の急激な低下を抑えることができる。
【００５８】
そして、以上のように、乾燥器１４内への水の噴霧を開始したときの、乾燥器１４出口のガスの温度および乾燥器１４における水の蒸発量の変化を最小限に抑えることにより、循環式乾燥装置１０内のガスの圧力の変化を抑えることができ、循環式乾燥装置１０が緊急停止するなどのトラブルを防止できる。
【００５９】
なお、水の噴霧を開始したときに設定した乾燥器１４出口のガスの設定温度は、ラテックスの乾燥時における設定温度よりも高ければよく、７５℃に限定はされない。具体的には、ラテックスの乾燥時における設定温度よりも高く、後段のバグフィルターが悪影響を受けない温度よりも低い温度であり、好ましくはラテックスの乾燥時における設定温度＋２〜１０℃である。また、ラテックスの乾燥時における乾燥器１４出口のガスの設定温度、および乾燥器１４入口のガスの設定温度も、７０℃および１７０℃に限定はされず、ラテックスの種類、噴霧量等にあわせて適宜設定すればよい。また、乾燥器１４出口のガスの温度が水の噴霧を開始したときに設定した設定温度に近づくとは、水の噴霧を開始したときに設定した設定温度から設定温度−３〜＋３℃までの範囲に入ることである。本形態例では、乾燥器１４出口のガスの温度が７３から７５℃までの範囲である。
【産業上の利用可能性】
【００６０】
本発明の循環式乾燥装置の運転方法は、加熱器と乾燥器との間でガスを循環させる循環式乾燥装置の運転停止時において、乾燥器出口のガスの温度および装置内のガスの圧力を大きく変化させることなく、乾燥器内への乾燥対象物の噴霧を中止できる方法であるので、従来では困難であった運転停止時における循環式乾燥装置の自動運転を可能にする。
【図面の簡単な説明】
【００６１】
【図１】循環式乾燥装置の一例を示す概略構成図である。
【図２】循環式乾燥装置における制御装置の一例を示すブロック図である。
【図３】強制流量制御ステップにおける送液ポンプの出力の時間変化を示すグラフである。
【図４】乾燥器出口のガスの設定温度を上げずに噴霧対象をラテックスから水へ切り替えた場合の噴霧量および蒸発量の時間変化を示すグラフである。
【図５】乾燥器出口のガスの設定温度を上げた後に噴霧対象をラテックスから水へ切り替えた場合の噴霧量および蒸発量の時間変化を示すグラフである。
【図６】乾燥器出口温度に基づく送液ポンプ１１０の出力調整を行っている場合の送液ポンプの出力の時間変化を示すグラフである。
【符号の説明】
【００６２】
１０…循環式乾燥装置、１２…加熱器、１４…乾燥器、３４…制御装置（噴霧量自動調整手段）、３６…加熱ガス流路（ガス循環手段）、３８…排出ガス流路（ガス循環手段）、４０…濾過ガス流路（ガス循環手段）、４２…冷却ガス流路（ガス循環手段）、４４…予熱ガス流路（ガス循環手段）、６６…ラテックス供給管（供給手段）、６８…水供給管（供給手段）、９８…送風ファン（ガス循環手段）、１００…排風ファン（ガス循環手段）、１１０…送液ポンプ（供給手段）、１２０…乾燥器出口温度計（噴霧量自動調整手段）
【図１】
2006071242.tif 000003
【図２】
2006071242.tif 000004
【図３】
2006071242.tif 000005
【図４】
2006071242.tif 000006
【図５】
2006071242.tif 000007
【図６】
2006071242.tif 000008